(57)【特許請求の範囲】
【請求項１】
植栽用の植物生育基盤と、この植物生育基盤の植物が植えられる面に沿って設けられ前記植物が生え出る植栽孔を有する植栽パネルとを備え、この植栽パネルの前記植栽孔の周縁に、前記植栽パネルの面に対する突没方向に延びる吸音用筒状体が設けられていることを特徴とする吸音緑化装置。
【請求項２】
請求項１に記載の吸音緑化装置において、前記吸音用筒状体は、一部または全体が前記植栽孔の周縁から前記植物生育基盤中に延びている吸音緑化装置。
【請求項３】
請求項１または請求項２に記載の吸音緑化装置において、前記植栽パネルが壁体の側面を構成する吸音緑化装置。
【請求項４】
請求項１ないし請求項３のいずれか１項に記載の吸音緑化装置において、前記植栽パネルは箱状のフレームの一部であり、前記フレームの内部に前記植物生育基盤が収容されている吸音緑化装置。
【請求項５】
請求項１ないし請求項４のいずれか１項に記載の吸音緑化装置において、前記植栽パネルの前記植栽孔に、この植栽孔から前記植物生育基盤が飛散するのを防ぐ押えシートが設けられた吸音緑化装置。
【請求項６】
請求項１ないし請求項５のいずれか１項に記載の吸音緑化装置において、前記吸音用筒状体は、前記植栽孔の周縁の周方向の位置によって筒軸心方向の長さが異なる吸音緑化装置。
【請求項７】
請求項１ないし請求項６のいずれか１項に記載の吸音緑化装置において、前記吸音用筒状体は、筒軸心が前記植栽パネルの面に対して傾いている吸音緑化装置。
【請求項８】
請求項１ないし請求項７のいずれか１項に記載の吸音緑化装置において、前記植栽パネルは前記植栽孔を複数有し、これら植栽孔の周縁にそれぞれ設けられた前記各吸音用筒状体は、筒軸心方向の長さが互いに異なるものを含む吸音緑化装置。
【請求項９】
請求項１ないし請求項８のいずれか１項に記載の吸音緑化装置において、前記植栽パネルは前記植栽孔を複数有し、これら植栽孔の周縁にそれぞれ設けられた前記各吸音用筒状体は、孔の径および形状の両方またはどちらかが互いに異なるものを含む吸音緑化装置。
【発明の詳細な説明】
【技術分野】
【０００１】
この発明は、壁面等を緑化して美観を向上させることができ、かつ吸音効果を有する緑化装置に関する。
【背景技術】
【０００２】
道路の防音壁等に緑化する技術が特許文献１，２に提案されている。これら特許文献に記載されている技術は、緑化に有効な防音壁の構造、およびこれに用いられる植栽容器に関する技術であり、積極的に吸音して騒音を減少させようとするものではない。特許文献２の段落００１７に、植栽用壁体を、植栽容器に植栽が植えられた植栽部分と、壁面に孔を有し内部に吸音材が充填された吸音部分とで構成することが記載されているが、前記吸音部分は従来から知られている構造である。
【先行技術文献】
【特許文献】
【０００３】
【特許文献１】特開平８−２３２２１４号公報
【特許文献２】特開平９−９７８７号公報
【発明の概要】
【発明が解決しようとする課題】
【０００４】
防音壁の設置は、防音壁の外側の空間への騒音の漏えいを防ぐ効果はあるが、防音壁の内側、例えば道路側の空間では騒音がむしろ助長されるという問題がある。このため、防音壁の外側の空間への騒音の漏えい防止と防音壁の内側空間での騒音軽減の両方を満足させる対策が望まれている。先に説明した壁面に孔を開け内部に吸音材を充填する方法は一つの対策ではあるが、この方法は、緑化面の一部または全面が失われることになるため、景観の悪化を招くこととなる。また、大型トラックのエンジン音等のような低音域の吸音効果が低いという課題があった。
【０００５】
この発明の目的は、壁面等を緑化しつつ、騒音の特に低音域を効果的に吸音することができる吸音緑化装置を提供することである。
【課題を解決するための手段】
【０００６】
この発明の吸音緑化装置は、植栽用の植物生育基盤と、この植物生育基盤の植物が植えられる面に沿って設けられ前記植物が生え出る植栽孔を有する植栽パネルとを備え、この植栽パネルの前記植栽孔の周縁に、前記植栽パネルの面に対する突没方向に延びる吸音用筒状体が設けられていることを特徴とする。
【０００７】
この構成によると、植栽孔を有する植栽パネルがヘルムホルツの共鳴器として、また植物育成基盤が吸音材としてそれぞれ機能し、騒音を吸音して減少させる。植栽パネルの植栽孔の周縁に植栽パネルの面に対する突没方向に延びる吸音用筒状体が設けられており、ヘルムホルツの共鳴器の首に相当する部分の長さが長いため、音のエネルギー損失が大きくなり吸音効果が高い。吸音用筒状体の筒軸心方向の長さの違いによって、吸音効果がよく効く周波数域が異なる。よって、吸音用筒状体の筒軸心方向の長さを適正に定めることで、狙いの周波数域の騒音を効果的に減少させることができる。例えば、従来の方法では吸音が困難であった低音域についても騒音を減少させることができる。
【０００８】
この発明において、前記吸音用筒状体は、一部または全体が前記植栽孔の周縁から前記植物生育基盤中に延びていてもよい。
吸音用筒状体の一部または全体が植物生育基盤中に延びていると、必要な吸音用筒状体の筒軸心方向の長さを確保しつつ、植栽パネルの外側への突出長さを短くすることができる。植栽パネルの外側への突出長さが短いと、吸音用筒状体によって植物が隠れないので、美観を損なわない。吸音用筒状体が植栽パネルの面に対し内側に延びていても、外側に延びていても、吸音用筒状体の長さが同じであれば、ほぼ同じ吸音効果が得られる。
【０００９】
この発明において、前記植栽パネルは壁体の側面を構成することができる。よって、この吸音緑化装置は壁面緑化に有効である。
【００１０】
この発明において、前記植栽パネルは箱状のフレームの一部であり、前記フレームの内部に前記植物生育基盤が収容されていてもよい。
この場合、植物生育基盤が収容されている空間が外部から遮蔽された空間となり、ヘルムホルツの共鳴器による吸音効果が高くなる。
【００１１】
この発明において、前記植栽パネルの前記植栽孔に、この植栽孔から前記植物生育基盤が飛散するのを防ぐ押えシートが設けられていてもよい。
シート状の部材が音の振動を受けると、シート状の部材が振動することで、音の振動を減衰させる。このため、押えシートが設けられていると、吸音の効果がある。
【００１２】
この発明において、前記吸音用筒状体は、前記植栽孔の周縁の周方向の位置によって筒軸心方向の長さが異なっていてもよい。
植物生育基盤に植えられる植物の種類や視覚的な効果等に合わせて、吸音筒状体を適正な形状とすることができる。
【００１３】
この発明において、前記吸音用筒状体は、筒軸心が前記植栽パネルの面に対して傾いていてもよい。
吸音用筒状体の筒軸心が植栽パネルの面に対して傾いていると、筒軸心が植栽パネルの面に直交する吸音用筒状体と比べて、植栽パネルの面からの突出長さを抑えつつ、筒軸心方向の長さを長くすることができる。
【００１４】
この発明において、前記植栽パネルは前記植栽孔を複数有し、これら植栽孔の周縁にそれぞれ設けられた前記各吸音用筒状体は、筒軸心方向の長さが互いに異なるものを含んでいてもよい。
吸音用筒状体は、筒軸心方向の長さの違いによって、吸音効果の効く周波数域が異なる。具体的には、筒軸心方向の長さが長い方が低音域の吸音効果が高い。このため、筒軸心方向の長さが互いに異なる複数種の吸音用筒状体を使用することで、様々な周波数の騒音を減らすことができる。
【００１５】
この発明において、前記植栽パネルは前記植栽孔を複数有し、これら植栽孔の周縁にそれぞれ設けられた前記各吸音用筒状体は、孔の径および形状の両方またはどちらかが互いに異なるものを含んでいてもよい。
この構成であると、植物生育基盤に複数種の植物が植えられる場合、各種の植物に合わせて吸音用筒状体の孔の径や形状を決められる。
【発明の効果】
【００１６】
この発明の吸音緑化装置は、植栽用の植物生育基盤と、この植物生育基盤の植物が植えられる面に沿って設けられ前記植物が生え出る植栽孔を有する植栽パネルとを備え、この植栽パネルの前記植栽孔の周縁に、前記植栽パネルの面に対する突没方向に延びる吸音用筒状体が設けられているため、壁面等を緑化しつつ、騒音の特に低音域を効果的に吸音することができる。
【図面の簡単な説明】
【００１７】
【図１】この発明の一実施形態にかかる吸音緑化装置の断面図である。
【図２】同吸音緑化装置の吸音用筒状体の斜視図である。
【図３】この発明の異なる実施形態にかかる吸音緑化装置の断面図である。
【図４】この発明のさらに異なる実施形態にかかる吸音緑化装置の断面図である。
【図５】この発明のさらに異なる実施形態にかかる吸音緑化装置の断面図である。
【図６】吸音特性を調べる試験の結果を示すグラフである。
【図７】この発明のさらに異なる実施形態にかかる吸音緑化装置の断面図である。
【図８】同吸音緑化装置の吸音用筒状体の斜視図である。
【図９】この発明のさらに異なる実施形態にかかる吸音緑化装置の断面図である。
【図１０】同吸音緑化装置の吸音用筒状体の斜視図である。
【図１１】植栽パネルの一例を示す図である。
【図１２】植栽パネルの異なる例を示す図である。
【図１３】比較例としての吸音緑化装置の断面図である。
【図１４】ヘルムホルツの共鳴器の一部破断斜視図である。
【図１５】ヘルムホルツの共鳴器の吸音効果の説明図である。
【発明を実施するための形態】
【００１８】
この発明の実施形態を図面と共に説明する。
図１はこの発明の一実施形態の断面図である。この吸音緑化装置は、壁面緑化に用いられるものであり、壁体の外郭を構成するフレーム１の内部に植物生育基盤２が収容されている。フレーム１は、壁体の一側面をなす植栽パネル３と、他の側面をなす背面パネル４と、図示しないパネルとで箱状に形成されている。植物生育基盤２が収容されるフレーム１の内部は、外部から遮蔽された空間である。植栽パネル３には、例えば図１１（Ｂ）または図１１（Ｃ）のように複数の植栽孔５が形成されており、これらの植栽孔５から植物生育基盤２に植えられた植物Ｐが生え出る。
【００１９】
前記植栽パネル３の植栽孔５の周縁には、植栽パネル３の面に対する突没方向に延びる吸音用筒状体６が設けられている。植栽孔５が円形である場合、吸音用筒状体６は図２に示すような円筒状である。この例では、吸音用筒状体６の筒軸心６ａが、植栽パネル３の面に直交している。図１において、この実施形態の吸音用筒状体６は、植栽孔５の周縁からフレーム１の外側および内側の両方向に延びている。吸音用筒状体６の内側の延びた部分は、植物生育基盤２中に位置する。
【００２０】
植栽パネル３の植栽孔５には、この植栽孔５から植物生育基盤２が飛散するのを防ぐ押えシート７が設けられている。押えシート７としては、通気性と通水性を有する素材、例えばポリプロピレンシートが用いられる。
【００２１】
前記植物生育基盤２としては、保水性と透水性のある軽量土壌が用いられる。具体的には、自然土壌の他に、バーク堆肥等の有機系土壌改良材、或いはパーライト等の無機系土壌改良材等の様々な一般に流通する資材を適宜組み合わせたものを用いる。また、活性炭等の多孔性物質が土壌中に含まれていてもよい。
【００２２】
この吸音緑化装置は、箱状のフレーム１の一側面に植栽孔５が形成された構造である。この構造は、ヘルムホルツの共鳴器として機能する。ヘルムホルツの共鳴器について説明する。
【００２３】
例えば図１４に示す容器１０について考える。容器１０は、上面材１１と底面材１２と４枚の側面材１３とで上下四方が囲まれ、上面材１１に孔１４が開いている。容器１０に外圧である騒音が作用すると、図１５（Ａ）のように、騒音となる振動空気Ａ１が孔１４から容器１０内に押し込まれる。この容器１０内に押し込まれた振動空気Ａ１を、容器１０内の空気Ａ２が外に押し出そうとする。図１５（Ｂ）のように、容器１０内の空気Ａ２の一部Ａ２ａが慣性力で孔１４の外に飛び出す。これにより容器１０内が負圧となり、飛び出した空気が容器１０内に引き戻される。このことが繰り返されることにより、図１５（Ｃ）のように、容器１０内と外部とのネック部、すなわち孔１４の周縁部において、出入りする空気との間に摩擦が生じて、騒音のエネルギーが損失する。その結果、騒音が小さくなる。
【００２４】
図１の吸音緑化装置の場合、フレーム１が図１４の容器１０に相当し、植栽孔５が図１４の孔１４に相当する。吸音用筒状体６が、フレーム１内と外部とを繋ぐネック部である。また、植物生育基盤２が、図１４における吸音材である空気の代わりとなる。このため、図１の吸音緑化装置は、上述したヘルムホルツの共鳴器の吸音効果が得られ、騒音を小さくすることができる。
【００２５】
さらに、図１の吸音緑化装置は、植栽パネル３の植栽孔５の周縁に、植栽パネル３の面に対する突没方向に延びる吸音用筒状体６が設けられているため、ネック部における出入りする空気との間の摩擦が大きく、吸音効果がより一層高くなる。吸音用筒状体６の筒軸心方向の長さＬの違いによって、吸音効果がよく効く周波数域が異なる。よって、吸音用筒状体６の筒軸心方向の長さＬを適正に定めることで、狙いの周波数域の騒音を効果的に減少させることができる。例えば、従来の方法では吸音が困難であった低音域についても騒音を減少させることができる。また、植栽パネル３の植栽孔５に設けられた押えシート７も、騒音のエネルギーを減衰させて吸音する効果がある。
【００２６】
この実施形態は、吸音用筒状体６の多くの部分が植物生育基盤２中に延びているため、必要な吸音用筒状体６の筒軸心方向の長さＬを確保しつつ、植栽パネル３の外側への突出長さＬ１を短くすることができる。このため、吸音用筒状体６によって植物Ｐが隠れてしまうことを防げる。図１３の比較例のように、吸音用筒状体６の全体が植栽孔５の周縁からフレーム１の外側に延びている構成で、吸音用筒状体６の長さＬを図１のものと同じにすると、吸音用筒状体６によって植物Ｐが隠れて目立たなくなり、壁面緑化の意匠性が損なれる。
【００２７】
吸音用筒状体６は、図３のように、植栽孔５の周縁からフレーム１の内側にだけ延びた形状であってもよく、図４のように、植栽孔５の周縁からフレーム１の外側にだけ延びた形状であってもよい。
また、図５に示すように、吸音用筒状体６を、植栽パネル３に固定された固定部６ａと、植栽パネル３に着脱自在な着脱部６ｂとで構成してもよい。図の例では、固定部６ａは植栽パネル３の面に対し外側に延び、着脱部６ｂは植栽パネル３の面に対し内側に延びている。着脱部６ｂは外周にねじ部を有し、このねじ部を植栽パネル６に固定されたナット６ｃにねじ込むことで、植栽パネル３に取り付けられる。互いに長さが異なる複数種の着脱部６ｂを用意しておき、これら複数種の着脱部６ｂの中から任意の一つを選択して取り付けることで、吸音用筒状体６の筒軸心方向の長さＬを調節することができる。
【００２８】
吸音用筒状体６の長さと吸音率との関係を調べる試験を行った。図６はその試験結果を示すグラフである。試験には４つの試供体を用いた。「パネル」は、植栽パネル３だけで吸音用筒状体６が設けられていない。植栽パネル３の厚さは４０ｍｍである。「パイプ１００上」は、長さ１００ｍｍの吸音用筒状体６がフレーム１の外側に突出させて設けられている。「パイプ１００中」は、長さ１００ｍｍの吸音用筒状体６がフレーム１の内側に突出させて設けられている。「パイプ２００上」は、長さ２００ｍｍの吸音用筒状体６がフレーム１の外側に突出させて設けられている。
【００２９】
図６の試験結果から、植栽孔５のネック部の長さによって吸音率の高い周波数域が異なることが分かる。なお、ネック部の長さは、「パネル」では植栽パネル３の厚さであり、他の試供体では吸音用筒状体６の筒軸心方向の長さＬである。「パネル」は１６０Ｈｚで最も吸音率が高く、「パイプ１００上」および「パイプ１００中」は１２５Ｈｚで最も吸音率が高く、「パイプ２００上」は１００Ｈｚで最も吸音率が高くなっている。つまり、ネック部の長さが長くなるほど低音域の吸音率が高くなる傾向がある。また、吸音用筒状体６がフレーム１の外側に延びていても内側に延びていても、吸音率が高くなる周波数域は変わらない。
【００３０】
図７、図８はこの発明のさらに異なる実施形態を示す。この吸音緑化装置は、吸音用筒状体６の筒軸心方向の長さＬが植栽孔５の周縁の周方向の位置によって異なっている。この例では、植栽孔５の周縁の上端で前記長さＬが最も短く（Ｌｍｉｎ）、かつ下端で前記長さＬが最も長く（Ｌｍａｘ）なるよう、吸音用筒状体６の外端が斜めになっている。つまり、吸音用筒状体６の外端は下部ほど外側に突出している。
【００３１】
この吸音用筒状体６の形状は、上向きに生える性質の植物Ｐが生育基盤２に植えられる場合に有効である。フレーム１の外側に大きく突出した吸音用筒状体６の下部を土受けとして利用してもよい。植物生育基盤２に植えられる植物Ｐが下方に垂れ下がる性質である場合、吸音用筒状体６が外端は上部ほど外側に突出した形状であってもよい。要は、植物生育基盤２に植えられる植物Ｐの種類や視覚的な効果等に考慮して、吸音用筒状体６を適正な形状とすればよい。
【００３２】
図９、図１０はこの発明のさらに異なる実施形態を示す。上記各実施形態は、吸音用筒状体６の筒軸心６ａが植栽パネル３の面に直交しているのに対し、この吸音緑化装置は、吸音用筒状体６の筒軸心６ａが、植栽パネル３の面に対して傾いている。図９の例では、筒軸心６ａが、外側に向かって斜め上向きとなっている。植栽パネル３の面に対する筒軸心６ａの角度θは、任意に決めることができる。このように吸音用筒状体６を斜めに配置すると、植栽パネル３の面からの突出長さＬ１を抑えつつ、筒軸心方向の長さＬを長くすることができる。
【００３３】
植栽パネル３に植栽孔５を開ける方法の一例を、図１１に示す。使用前の植栽パネル３に、図１１（Ａ）のように、植栽孔５の形状をした切込み２０を縦横に整列して形成しておく。これら切込み２０のうちの任意の切込み２０に沿って孔を穿つことにより、図１１（Ｂ）または図１１（Ｃ）のように任意の配置で、かつ任意の数の植栽孔５を開けることができる。
【００３４】
また、図１２（Ａ）のように、使用前の植栽パネル３に大きさが異なる複数種の切込み２０Ａ，２０Ｂを同位置に形成しておけば、図１２（Ｂ）または図１２（Ｃ）のように任意の大きさの植栽孔５Ａ，５Ｂを開けることができる。１枚の植栽パネル３に大きさが異なる植栽孔５Ａ，５Ｂを混在させてもよい。
【００３５】
吸音緑化装置の吸音特性は、植栽パネル３の全面積における各植栽孔５，５Ａ，５Ｂの総面積の比率である開口率によって異なる。このため、図１１、図１２に示す植栽パネル３を使用することで、植栽パネル３の開口率を調整して、吸音特性を変化させることができる。
【００３６】
また、図６の試験結果に見られるように、植栽孔５（５Ａ，５Ｂ）の周縁に設けられる吸音用筒状体６の筒軸心方向の長さＬの違いによって、吸音効果の効く周波数域が異なる。具体的には、吸音用筒状体６の長さが長い方が低音域の吸音効果が高い。このため、各植栽孔５（５Ａ，５Ｂ）に、互いに筒軸心方向の長さＬが異なる複数種の吸音用筒状体６を混在させることで、様々な周波数の騒音を減らすことができる。
【００３７】
さらに、各植栽孔５（５Ａ，５Ｂ）に、筒軸心方向の長さＬが植栽孔５の周縁の位置によって異なっている吸音用筒状体６（図７）や、植栽パネル３の面に対して筒軸心６ａが傾いている吸音用筒状体６（図８）を混在させてもよい。植物生育基盤２に複数種の植物Ｐが植えられる場合、各種の植物Ｐに合わせて吸音用筒状体６の形状を決めればよい。
【符号の説明】
【００３８】
１…フレーム
２…植物生育基盤
３…植栽パネル
５，５Ａ，５Ｂ…植栽孔
６…吸音用筒状体
６ａ…筒軸心
７…押えシート
Ｐ…植物
【図１】
0006542088.tif 000002
【図２】
0006542088.tif 000003
【図３】
0006542088.tif 000004
【図４】
0006542088.tif 000005
【図５】
0006542088.tif 000006
【図６】
0006542088.tif 000007
【図７】
0006542088.tif 000008
【図８】
0006542088.tif 000009
【図９】
0006542088.tif 000010
【図１０】
0006542088.tif 000011
【図１１】
0006542088.tif 000012
【図１２】
0006542088.tif 000013
【図１３】
0006542088.tif 000014
【図１４】
0006542088.tif 000015
【図１５】
0006542088.tif 000016